(57)【要約】【課題】被取付物を板ナットを介して構造物にねじ止めする際に、ねじが緩んで被取付物が急に落下することを防ぐ。【解決手段】被取付物たる天板（図示略）を、この天板を取り付ける対象である構造物たる支柱２にブラケット３２、板ナット４及び連続開口２ｘを介して高さ位置を連続的に変更可能にねじ止めする際に用いられるものであって、天板３及びブラケット３２が支柱２から離れる方向への倒れ荷重の少なくとも一部を利用して板ナット４を支柱２に向かって引き寄せ、これら板ナット４と支柱２との間に落下に対する摩擦力を生じさせる摩擦惹起手段を用いるようにした。【選択図】図６
2004100230.tif 000002
【特許請求の範囲】
【請求項１】
被取付物を、この被取付物を取り付ける対象である構造物に板ナット及び連続開口を介して高さ位置を連続的に変更可能にねじ止めする際に用いられるものであって、被取付物が構造物から離れる方向への倒れ荷重の少なくとも一部を利用して板ナットを構造物に向かって引き寄せ、これら板ナットと構造物との間に落下に対する摩擦力を生じさせる摩擦惹起手段を用いることを特徴とする部材取付構造。
【請求項２】
前記板ナットに前記被取付物と係り合って前記倒れ荷重を受ける被作用部を設けているとともに、前記被作用部が前記倒れ荷重の少なくとも一部を板ナットを構造物に引き寄せる力に変換する機能を有することを特徴とする請求項１記載の部材取付構造。
【請求項３】
前記被作用部が前記板ナットの板状をなす板ナット本体から前記連続開口を通過可能に突出させて設けた突出部であるとともに、被取付物に前記突出部を挿し通して当該板ナットと係り合う係合凹部を設け、この係合凹部の縁部が前記板ナットを構造物に引き寄せるべく作用することを特徴とする請求項２記載の部材取付構造。
【請求項４】
前記被作用部を前記板ナットの端部に設けていることを特徴とする請求項１、２又は３記載の部材取付構造。
【請求項５】
前記被作用部を前記板ナットの上端部に設けていることを特徴とする請求項４記載の部材取付構造。
【請求項６】
前記連続開口の奥行に、前記連続開口より幅広に構成した前記板ナットを嵌め込む板ナット案内溝を形成していることを特徴とする請求項１、２、３、４又は５記載の部材取付構造。
【請求項７】
前記構造物が、前記板ナットを介して被取付物たるオプション部材を取り付け可能に構成した支柱であることを特徴とする請求項６記載の部材取付構造。
【請求項８】
請求項１、２、３、４、５、６又は７記載の部材取付構造に用いられるものであって、板状をなす板ナット本体と、この板ナット本体から前記連続開口を通過可能に突出させて設けた突出部とを具備するとともに、前記突出部の先端部が前記連続開口に略平行に延びる形状をなし、当該先端部が前記倒れ荷重の少なくとも一部を受け、この突出部が前記倒れ荷重の少なくとも一部を板ナットを構造物に引き寄せる力に変換する機能を有することを特徴とする板ナット。
【請求項９】
前記突出部を前記板ナット本体の端部に設けていることを特徴とする請求項８記載の板ナット。
【請求項１０】
前記突出部を前記板ナット本体の上端部に設けていることを特徴とする請求項９記載の板ナット。
【発明の詳細な説明】
【０００１】
【発明の属する技術分野】
本発明は、被取付物をこの被取付物を取り付ける対象である構造物に高さ位置を連続的に変更可能にねじ止めする際に用いる部材取付構造、及びこの部材取付構造に用いる板ナットに関する。
【０００２】
【従来の技術】
従来、被取付物を、この被取付物を取り付ける対象である構造物に板ナットを用いて高さ位置を連続的に変更可能にねじ止めする際には、構造物に上下方向に延びる連続開口を設けるとともに、この連続開口にねじを挿し通すようにして取り付けていた。（例えば、特許文献１参照。）
【０００３】
【特許文献１】
特開２００２−２２７３９７号公報（第４−５頁、第７図）
【０００４】
【発明が解決しようとする課題】
ところが、このように構成すると、ねじ止め作用のみにより被取付物を支持していることになり、ねじが緩むと被取付物が急に落下してしまうという不具合が生じる。また、このようにねじ止め作用のみにより被取付物を支持するように構成すると、被取付物の位置の仮決めは被取付物を下方から手等で支持する必要があり、取付作業が面倒になるという不具合も生じる。
【０００５】
本発明は以上に述べた課題を解決すべく、ねじ止め作用以外の力を作用させて被取付物の急な落下を防ぐとともに、より安定的に支持するようにするものである。
【０００６】
【課題を解決するための手段】
すなわち、本発明に係る部材取付構造は、被取付物を、この被取付物を取り付ける対象である構造物に板ナット及び連続開口を介して高さ位置を連続的に変更可能にねじ止めする際に用いられるものであって、被取付物が構造物から離れる方向への倒れ荷重の少なくとも一部を利用して板ナットを構造物に向かって引き寄せ、これら板ナットと構造物との間に落下に対する摩擦力を生じさせる摩擦惹起手段を用いることを特徴とする。
【０００７】
このように構成したものであれば、被取付物の荷重を利用して作用部を被取付物の方向に引き込むことにより構造物に引き寄せ、摩擦力を生じさせるようにしているので、簡単な構造で被取付物をより安定的に保持し、急激な落下を防ぐことができるようになる。また、このように被取付物の急激な落下を防ぐようにしているので、被取付物をねじを使わずに構造物に仮止めしておくこともできるようになる。
【０００８】
このような部材取付構造を好適に実現する構成の一例として、前記板ナットに前記被取付物と係り合って前記倒れ荷重を受ける被作用部を設けているとともに、前記被作用部が前記倒れ荷重の少なくとも一部を板ナットを構造物に引き寄せる力に変換する機能を有するものを挙げることができる。
【０００９】
前記被作用部が前記板ナットの板状をなす板ナット本体から前記連続開口を通過可能に突出させて設けた突出部であるとともに、被取付物に前記突出部を挿し通して当該板ナットと係り合う係合凹部を設け、この係合凹部の縁部が前記板ナットを構造物に引き寄せるべく作用するものであれば、上述したような板ナットを用いてさらに効果的にこの被取付物を保持させることができる。
【００１０】
さらに効果的に前記被取付物及び前記板ナットを保持できるようにするには、前記被作用部を前記板ナットの端部に設ければよい。このようにすれば、被作用部が前記倒れ荷重を受けて構造物に引き寄せられると、被作用部に隣接する部位のみが構造物に押し付けられるようにできるので、板ナットが構造物と接する面積をより狭くできるからである。
【００１１】
前記被作用部を前記板ナットの上端部に設けているものであれば、被作用部に隣接する部位と倒れ荷重の支点との距離を長くできるので、被取付物の重心が上方にある場合に突出部にかかる力を低減できるようになり、さらに効果的に前記被取付物及び前記板ナットを保持できるようになる。
【００１２】
前記連続開口の奥行に、前記連続開口より幅広に構成した前記板ナットを嵌め込む板ナット案内溝を形成しているものであれば、前記板ナットを構造物に簡単に取り付けることができるようになる。
【００１３】
このような部材取付構造を好適に用いることができる構造の一例として、前記構造物が、前記板ナットを介して被取付物たるオプション部材を取り付け可能に構成した支柱であるものが挙げられる。
【００１４】
一方、上述したような部材取付構造に有効に用いられる板ナットとしては、板状をなす板ナット本体と、この板ナット本体から前記連続開口を通過可能に突出させて設けた突出部とを具備するとともに、前記突出部の先端部が前記連続開口に略平行に延びる形状をなし、当該先端部が前記倒れ荷重の少なくとも一部を受け、この突出部が前記倒れ荷重の少なくとも一部を板ナットを構造物に引き寄せる力に変換する機能を有するものが挙げられる。このようなものであれば、前記突出部の先端部が被取付物と係り合って板ナットを構造物に引き寄せるようにできるので、効果的に被取付物を構造物に保持できるようになる。
【００１５】
前記突出部を前記板ナット本体の端部に設けているものであれば、この突出部が前記倒れ荷重を受けて構造物に引き寄せられると、この突出部に隣接する部位のみが構造物に押し付けられるようにできるので、板ナットが構造物と接する面積をより狭くでき、さらに効果的に前記被取付物及び前記板ナットを保持できるようになる。
【００１６】
前記突出部を前記板ナット本体の上端部に設けているものであれば、突出部と倒れ荷重の支点との距離を長くでき、被取付物の重心が上方にある場合に突出部にかかる力を低減できるので、さらに効果的に前記被取付物及び前記板ナットを保持できるようになる。
【００１７】
【発明の実施の形態】
以下、本発明の一実施形態を、図面を参照して説明する。
【００１８】
本実施形態に係る部材取付構造は、全体の正面図を図１、図１におけるＡ−Ａ断面図である図２及び、図２の支柱２部分の拡大図である図３に示すように、構造物たる支柱２と、支柱２の上端部を連結する横架材２０とを有するフレーム１の前記支柱２に、被取付物たる天板３をブラケット３２及び板ナット４を介して取り付け可能に構成しているものである。なお、本実施形態では、前記支柱２から離れる方向を外方と表記する。
【００１９】
この支柱２は、図１〜図３に示すように、アルミ押し出し成形材を所定の長手寸法に切断することによって長手方向に沿って各部等断面形状をなすようにした支柱本体２１と、その支柱本体２１に着脱可能に装着されるカバー２２と、前記支柱本体２１の下端に位置する台座２３とからなるものである。なお、図３には、支柱２の向かって右奥側４分の１のみを示しているが、この支柱２は左右及び前後方向に対称な形状をなしていて、左側及び手前側も同一の形状である。
【００２０】
支柱本体２１は、その中核部分をなし中心に位置付けられる中心体２１１と、中心体２１１から四方に延ばした四本のアーム２１２とを一体成形したものである。中心体２１１は、平断面視概略正方形の角パイプ状をなすもので、支柱本体２１に対応する長手寸法を有している。アーム２１２は、いずれも同一形状を有し中心体２１１と略同一の長手寸法を有しており、中心体２１１の平断面形状である正方形の対角線に沿って外方に向けて延びる平板状のアーム本体２１３と、アーム本体２１３の先端部を二股に分岐させた一対の先端部２１４と、アーム本体２１３の基端部２１３ａと先端部２１４との中間部よりも基端部２１３ａ側の部位においてアーム本体２１３の肉厚を部分的に膨出させた形状をなす一対のカバー取付部２１５とを備えている。そして、これらカバー取付部２１５よりもさらに基端部２１３ａ寄りの部位に、外方へ向けて相互に約９０度をなして開くように突出させた板状をなす一対の隔壁２１６を形成している。なお、この支柱本体２１は、図示はしないが下端部において中心体２１１の中央部に挿入した固定ナットに床面（図示略）側から突出させたボルト（図示略）を止着することにより床面に固定している。
【００２１】
先端部２１４は、アーム本体２１３の先端から平面視クランク状をなして複数箇所で屈曲させて設けている。また、同一のアーム本体２１３から突出する他方の先端部２１４と相寄る方向に突出する板状の突出壁２１７を形成して、これら突出壁２１７間に連続開口２ｘを形成している。さらに、これら突出壁２１７と先端部２１４とによって囲まれる空間に、すなわち前記連続開口２ｘの奥行に上下に延びる部材案内溝２ｙを形成している。この部材案内溝２ｙは、前記一対の突出壁２１７の先端間を通じて前記連続開口２ｘと連通していて、前記連続開口２ｘよりも幅広な形状となっている。そして、これら突出壁２１７及び連続開口２ｘによって、オプション部材取付部Ｘを構成している。
【００２２】
カバー取付部２１５は、いずれもアーム本体２１３の基端部２１３ａから先端部２１４側へ向けて所定距離偏位した基端部２１３ａ寄りの位置において、図３に示すように、当該アーム本体２１３の左右両側に平断面視概略台形状をなすように膨出させて設けている。
【００２３】
カバー２２は、アーム２１２からそれに隣接するアーム２１２までの幅寸法を有し支柱本体２１よりも若干短い高さ寸法を有するカバー本体２２１と、カバー本体２２１の後向面から前記中心体２１１に向けて突出させた一対の突出壁２２２とを一体に成形した弾性変形可能な合成樹脂製の部材である。カバー本体２２１は、外側に向けて凸となるように若干湾曲させており、両側端部を斜め後方に向けて内側へ屈曲させた屈曲部２１１ａを形成し、この屈曲部２１１ａをアーム２１２の前記先端部２１４に係合させるようにしている。また、突出壁２２２は、隣接するアーム２１２のカバー取付部２１５同士の対向面側に沿ってそれぞれ延びるもので、前記カバー取付部２１５に取り付けられる被取付部として機能する。
【００２４】
さらに、天板３を構成するブラケット３２を前記板ナット４を介して１個だけ支柱２に取り付けた状態の図２における矢印Ｚ方向から見た図を図５、図３におけるＢ−Ｂ断面図を図６にそれぞれ示すように、前記部材案内溝２ｙに板ナット４を嵌め込むようにしているとともに、この板ナット４を介して前記ブラケット３２を支柱２に高さ位置を連続的に変更可能にねじ止めするようにしている。すなわち、前記部材案内溝２ｙは請求項中の板ナット案内溝としての機能を有する。なお、図５においては、前記天板３を構成する天板本体３１を想像線で示している。
【００２５】
一方、天板３は、本実施形態では円形をなし、中心部に同心円状に円形の空間を設けた板を２分割した天板本体３１を２枚組み合わせて円形に構成し、前記支柱２を略取り囲むようにしているとともに、ブラケット３２にその下面を支持させ、このブラケット３２及び板ナット４を介して支柱２に取り付けるようにしている。ブラケット３２は、前記板ナットと対向して取り付ける取付部３２１と、この取付部３２１から上外方に延ばして設けられた接続部３２２と、この接続部３２２の先端に設けられ、天板本体３１を支持する支持部３２３とを有し、本実施形態では前記支柱２の４つの隅部にそれぞれ設けた前記オプション部材取付部Ｘに取り付けるようにしている。そして、前記取付部３２１には、ねじｖを挿し通すためのねじ挿通孔３ｘが設けられているとともに、このねじ挿通孔３ｘを前記板ナット４に設けた雌ねじ孔４ｘと重合させて、ねじｖを前記雌ねじ孔４ｘにねじ止めすることによりこのブラケット３２を支柱２に固定するようにしている。そして、天板３１をブラケット３２の支持部３２３に支持させて取り付けるようにしている。
【００２６】
しかして本実施形態では、前記ブラケット３２の外方、すなわち支柱２から離れる方向への倒れ荷重の少なくとも一部を利用して板ナット４を支柱２に向かって引き寄せ、これら板ナット４と支柱２との間に落下に対する摩擦力を生じさせる摩擦惹起手段を用いている。具体的には、前記板ナット４に前記ブラケット３２と係り合って前記倒れ荷重を受ける被作用部たる突出部４２を設けているとともに、前記突出部４２が、前記倒れ荷重の少なくとも一部を、板ナット４を支柱２に引き寄せる力に変換する機能を有するとともに、板ナット４が支柱２に押し付けられて摩擦力を受けるようにしている。
【００２７】
さらに詳述すると、前記板ナット４は、正面図及び側面図を図４に示すように、略鉛直方向に延びる板状をなし、雌ねじ孔４ｘを具備する板ナット本体４１と、この板ナット本体４１の下端部から突出して、その先端部が略鉛直上向きに延びる形状の突出部４２とを有する。前記突出部４２は、板ナット本体４１の幅方向中央部の下端から延ばして設けているとともに、その先端部が、板ナット本体４１と対向する起立壁４２１を形成するように、上向きに開口するチャネル状に形成している。そして、板ナット本体４１を前記連続溝２１７に挿し入れるようにしているとともに、前記突出部は前記連続開口２ｘを通過して外方に突出するようにしている。
【００２８】
一方、ブラケット３２の前記取付部３２１には、前記板ナット４の突出部４２を挿し通してこれと係合する係合凹部たる係合孔３ｙを設けている。そして、前記ねじ挿通孔３ｘを前記雌ねじ孔４ｘと重合させる際に、前記係合孔３ｙに前記板ナット４の突出部４２を挿し通すようにしている。
【００２９】
以下に天板３をブラケット３２及び板ナット４を介して支柱２に取り付ける際の各部の作用について述べる。
【００３０】
まず、板ナット４を前記板ナット案内溝に挿入し、指等を用いてその上下位置を仮決めする。次に、この板ナット４を指等で押さえたまま前記ブラケット３２の係合孔３ｙと前記板ナットの突出部４２とを係り合わせる。このとき、前記ブラケット３２の重心は外方にあるので、前記ブラケット３２の下端３ａを支点として支柱２から離れる方向に倒伏しようとする。すると、前記突出部４２が前記ブラケット３２に設けた前記係合孔３ｙの開口縁から前記ブラケット３２及び前記天板３の倒れ荷重を受けて前方に移動する。そして板ナット本体４１の下端部が前記突出壁２１７に衝き当たって摩擦力を受ける。すなわち、前記ブラケットの係合孔３ｙの開口縁、前記突出部４２、前記板ナット本体４１の下端部、及び支柱２の連続開口の開口縁が協働して請求項中の摩擦惹起手段として機能する。このようにして、ブラケット３２を支柱に仮止めする。そして、上述したように、ねじ挿通孔３ｘを前記雌ねじ孔４ｘと重合させ、ねじｖを前記雌ねじ孔４ｘにねじ止めすると、このブラケット３２は支柱２に固定される。また、ねじｖが緩んだ状態では、上述したように前記ブラケット３２の重心は外方にあるので、前記ブラケット３２の下端３ａを支点として支柱２から離れる方向に倒伏しようとするが、上述したのと同様の作用により前記ブラケット３２及びこのブラケット３２に取り付けた天板３は仮止めされた状態になる。なお、天板本体３１を予めブラケット３２に取り付けておいてからこのブラケット３２を支柱２に固定してもよいし、前記ブラケット３２を支柱２に固定してから天板本体３１を前記ブラケット３２に取り付けてもよい。
【００３１】
このように、前記ブラケット３２が前記支柱２から離れる方向への倒れ荷重の少なくとも一部を利用して板ナット４を前記支柱２に向かって引き寄せ、これら板ナット４と前記支柱２との間に落下に対する摩擦力を生じさせているので、この摩擦力により板ナット４及びブラケット３２を支持させて、これらが急激に落下することを防ぐことができる。また、この摩擦力により、ブラケット３２を支柱２に仮止めしておくこともできる。
【００３２】
特に、板ナット４に突出部４２を設け、この突出部４２がブラケット３２と係り合って前記倒れ荷重を受け、この倒れ荷重を受けて板ナット４全体が支柱２に引き寄せられるようにしているので、ブラケット３２の倒れ荷重を、板ナット４を支柱２に引き寄せる力に無理なく変換できる。さらに突出部４２が前記倒れ荷重を、板ナット４を支柱２に引き寄せる力に変換するように構成することで、摩擦惹起手段のうちの板ナット４と支柱２とを接触させる機能を簡単な構成で実現できる。
【００３３】
加えて、ブラケット３２に前記板ナットと係り合う係合孔３ｙを設け、この係合孔３ｙの開口縁が板ナット４を支柱に引き寄せるべく作用するように構成しているので、摩擦惹起手段のうちの板ナット４と支柱２とを接触させる機能をさらに簡単な構成で実現できる。
【００３４】
そして、前記突出部４２を板ナット本体４１の下端部に設けているので、板ナット４が支柱２に引き寄せられた際に板ナット本体４１の下端部のみが支柱２に押し付けられるようになり、さらに効果的に板ナット４と支柱２との間に摩擦力を惹起できる。
【００３５】
なお、本発明は上述した実施形態に限られない。
【００３６】
例えば、被取付物としては、上述した実施形態に述べたようなブラケット３２を介して取り付ける天板３に限らず、例えば図７、図８、図９、及び図１０に示すように、支柱２の一隅部に取り付けるように構成したブラケット５２及び上述した実施形態において用いた板ナット４を介してこの支柱２に三角形の各辺の中央部を膨出させた形状をなす天板本体５１を取り付けるように構成した天板５を取り付けるようにしてもよい。なお、図７はこの天板５を取り付けたフレーム１を示す正面図、図８は図７におけるＡ−Ａ断面図、図９は図８におけるブラケット５２付近の拡大図、図１０は図８における矢印Ｚ方向から見た状態を示す図である。図１０においては、天板本体５１は想像線で示している。さらに詳述すると、ブラケット５２は略角パイプ状をなす取付部５２１と、この取付部５２１から略上外方に延びる接続部５２２と、天板本体５１を支持する支持部５２３とを有し、取付部５２１の１辺を支柱２の前記連続開口２ｘに対向させて取り付けるようにしている。また、このブラケット５２の支柱２に対向する面の下端部には、上述した実施形態におけるブラケット３２と同様に係合孔５ｙを設けていて、前記突出部４２を挿し通すようにしているとともに、ねじｖ２をこのブラケットを貫通させて前記板ナット４の雌ねじ孔４ｘにねじ止めできるように相対向する面にそれぞれねじ挿通孔５ｘを設けている。
【００３７】
また、突出部を板ナット本体の上端部に設けるようにしてもよい。このようにしても突出部を板ナット本体の下端部に設けた場合の効果は全て得られ、さらに、被取付物の下端部とこの突出部との間の距離を大きく取れるので、支柱に重量物を取り付け、この被取付物の重心が上方にある場合に突出部にかかる力を低減でき、さらに効果的に前記被取付物及び前記板ナットを保持できる。
【００３８】
さらに、係合凹部としては、上述した実施形態で述べたような係合孔に替えて縁部に突出部を係り合わせるよう構成した切れ込みを設けてもよい。
【００３９】
加えて、上述したような支柱以外のものを構造体としてもよい。この場合、連続開口の奥行に板ナット案内溝を設ける必要はなく、単に板ナットと被取付物とで前記連続開口の開口縁付近を挟み込むような構成にしてもよい。
【００４０】
そして、突出部の形状や板ナットと被取付物との係合の形状も上述した実施形態で述べたようなものに限られない。例えば、板ナット本体の下端部から被取付物に向けて突出して設けられ、中心部に係合孔を設けた突出部と、被取付物から板ナットに向けて突出しているとともに、その先端部を前記突出部の係合穴に係り合わせるよう構成した係合突起の組み合わせを用いるようにしてもよい。
【００４１】
【発明の効果】
以上説明したように本発明によれば、被取付物が構造物から離れる方向への倒れ荷重の少なくとも一部を利用して板ナットを構造物に向かって引き寄せ、これら板ナットと構造物との間に落下に対する摩擦力を生じさせているので、ねじが緩んでも被取付物が急に落下することを防ぐことができ、また取付の際に仮止めしておくことができるようになる。
【図面の簡単な説明】
【図１】本発明の一実施形態に係る部材取付構造を用いたフレームの全体斜視図。
【図２】図１におけるＡ−Ａ断面図。
【図３】図２における支柱部分を示す拡大図。
【図４】同実施形態における板ナットを示す正面図及び側面図。
【図５】同実施形態におけるブラケットを支柱に取り付けた状態を図２における矢印Ｚ方向から見た状態を示す図。
【図６】図２におけるＢ−Ｂ断面図。
【図７】本発明の他の実施形態に係る部材取付構造を用いたフレームの全体斜視図。
【図８】図７におけるＡ−Ａ断面図。
【図９】図８における支柱部分を示す拡大図。
【図１０】同実施形態におけるブラケットを支柱に取り付けた状態を図８における矢印Ｚ方向から見た状態を示す図。
【符号の説明】
２…支柱
２ｘ…連続開口
２ｙ…部材案内溝（板ナット案内溝）
３、５…天板（被取付物）
３ｙ、５ｙ…係合孔（係合凹部）
４…板ナット
４１…板ナット本体
４２…突出部
【図１】
2004100230.tif 000003
【図２】
2004100230.tif 000004
【図３】
2004100230.tif 000005
【図４】
2004100230.tif 000006
【図５】
2004100230.tif 000007
【図６】
2004100230.tif 000008
【図７】
2004100230.tif 000009
【図８】
2004100230.tif 000010
【図９】
2004100230.tif 000011
【図１０】
2004100230.tif 000012